(57)【要約】【課題】  ゴーストが実際に発生する時期を検出することを可能とし、サンプリングパルスや映像信号の補正を行うべき時期の検出を可能とする液晶駆動回路を提供する。【解決手段】  水平スイッチ駆動パルス信号に基づいて、データラインに順次映像信号が供給される様に構成された液晶駆動回路であって、周辺領域に形成された第１のデータライン１に検出信号が供給された後に、第２の保持容量５の電位の変化量を検出する第１の電位検出回路６と、第３の保持容量７の電位の変化量を検出する第２の電位検出回路８を備える。【選択図】    図１
2005300595.tif 000002
【特許請求の範囲】
【請求項１】
有効表示領域及び周辺領域に行方向に沿って配列されたスキャンラインと、
有効表示領域及び周辺領域に列方向に沿って配列されたデータラインと、
該スキャンライン及びデータラインの交点に配設された能動素子と、
該能動素子と電気的に接続された保持容量を備え、
サンプリングパルスに基づいて、前記データラインに順次映像信号が供給される様に構成された駆動回路であって、
周辺領域に配列された所定のデータラインに検出信号が供給された後に、前記検出信号が供給されたデータラインと隣り合う周辺領域に配列されたデータライン若しくは同データラインと電気的に接続された保持容量の電位の変化量を検出する電位検出手段を備える
ことを特徴とする駆動回路。
【請求項２】
有効表示領域及び周辺領域に行方向に沿って配列されたスキャンラインと、
有効表示領域及び周辺領域に列方向に沿って配列されると共に、複数ブロックに区分されたデータラインと、
該スキャンライン及びデータラインの交点に配設された能動素子と、
該能動素子と電気的に接続された保持容量を備え、
サンプリングパルスに基づいて、前記データラインに前記ブロック毎に順次映像信号が供給される様に構成された駆動回路であって、
周辺領域に構成された所定のブロック内の所定のデータラインに検出信号が供給された後に、前記所定のブロックと隣り合う周辺領域に構成されたブロック内のデータラインであり、前記検出信号が供給されたデータラインと対応するデータライン若しくは同データラインと電気的に接続された保持容量の電位の変化量を検出する電位検出手段を備える
ことを特徴とする駆動回路。
【請求項３】
有効表示領域及び周辺領域に行方向に沿って配列されたスキャンラインと、有効表示領域及び周辺領域に列方向に沿って配列されたデータラインと、該スキャンライン及びデータラインの交点に配設された能動素子と、該能動素子と電気的に接続された保持容量を有し、サンプリングパルスに基づいて、前記データラインに順次映像信号が供給される様に構成されると共に、周辺領域に配列された所定のデータラインに検出信号が供給された後に、前記検出信号が供給されたデータラインと隣り合う周辺領域に配列されたデータライン若しくは同データラインと電気的に接続された保持容量の電位の変化量を検出する電位検出手段を備える駆動回路と、
前記電位検出手段による検出電位の変化量が所定の閾値以上の場合に、前記サンプリングパルスまたは前記映像信号の少なくとも一方を補正する補正手段を備える
ことを特徴とする表示装置。
【請求項４】
有効表示領域及び周辺領域に行方向に沿って配列されたスキャンラインと、有効表示領域及び周辺領域に列方向に沿って配列されると共に、複数ブロックに区分されたデータラインと、該スキャンライン及びデータラインの交点に配設された能動素子と、該能動素子と電気的に接続された保持容量を有し、サンプリングパルスに基づいて、前記データラインに前記ブロック毎に順次映像信号が供給される様に構成されると共に、周辺領域に構成された所定のブロック内の所定のデータラインに検出信号が供給された後に、前記所定のブロックと隣り合う周辺領域に構成されたブロック内のデータラインであり、前記検出信号が供給されたデータラインと対応するデータライン若しくは同データラインと電気的に接続された保持容量の電位の変化量を検出する電位検出手段を備える駆動回路と、
前記電位検出手段による検出電位の変化量が所定の閾値以上の場合に、前記サンプリングパルスまたは前記映像信号の少なくとも一方を補正する補正手段を備える
ことを特徴とする表示装置。
【発明の詳細な説明】
【技術分野】
【０００１】
本発明は駆動回路及び表示装置に関する。詳しくは、周辺領域に配列されたデータラインの電位の変化量若しくは周辺領域に配列されたデータラインと電気的に接続された保持容量の電位の変化量を検出することによって、サンプリングパルスや映像信号の補正のタイミングを検出する駆動回路及びこうした駆動回路によって検出されたタイミングで補正を行い、ゴーストの抑制を行う表示装置に係るものである。
【背景技術】
【０００２】
従来、液晶画素に対応して複数の画素駆動素子を配置するとともに、垂直走査方向に配置された各画素駆動素子に接続される複数のデータラインと、水平走査方向に配置された各画素駆動素子に接続される複数のスキャンラインを有し、スキャンラインに順次垂直同期信号を供給するとともに、データラインにビデオ信号を供給することにより、画素駆動素子を駆動して液晶画素を制御する液晶駆動回路が知られている（例えば、特許文献１参照。）。
【０００３】
以下、図面を用いて従来の液晶駆動回路について説明する。
図３は、従来のアクティブマトリックス型液晶表示装置の液晶駆動回路の構成を説明するための図であり、ここで示す液晶駆動回路は、Ｘ軸方向に平行に配列された複数のスキャンラインＸ１，Ｘ２，Ｘ３・・・と、Ｙ軸方向に平行に配列された複数のデータラインＹ１，Ｙ２，Ｙ３・・・を備えており、各スキャンラインとデータラインの交点には、画素トランジスタ（以下、画素Ｔｒと言う）として例えば薄膜トランジスタ（ＴＦＴ）等の能動素子Ｔ１１，Ｔ１２，Ｔ２１，Ｔ２２・・・が形成され、更に各能動素子に対応した保持容量Ｃｓ１１，Ｃｓ１２，Ｃｓ２１，Ｃｓ２２・・・、画素電極及び対向電極によって挟持された液晶から構成された液晶セルＬ１１，Ｌ１２，Ｌ２１，Ｌ２２・・・が形成されている。なお、各画素Ｔｒは液晶画素に対応してマトリックス状に配置されており、各画素Ｔｒのゲート電極はスキャンラインに接続されており、ソース電極はデータラインに接続されており、ドレイン電極は対応する保持容量及び液晶セルの画素電極に接続されている。
【０００４】
また、各データラインはそれぞれ対応する水平スイッチＳ１，Ｓ２，Ｓ３・・・を介して共通のビデオライン１０１に接続されており、このビデオラインから映像信号が供給される。更に、各水平スイッチを構成するスイッチングトランジスタのゲート電極は水平走査回路１０２に接続されており、この水平走査回路は、外部から入力される水平クロック信号に同期して順次サンプリングパルスである水平スイッチ駆動パルス信号をスイッチングトランジスタのゲート電極に印加する。なお、各スキャンラインは垂直走査回路１０４に接続されている。
【０００５】
上記の様に構成された液晶駆動回路では、垂直走査回路を駆動すると、スキャンラインが線順次で励起され、行毎に画素Ｔｒが選択される。この際、水平走査回路を駆動して水平スイッチを線順次で動作させると、ビデオラインに供給された映像信号が順次各データラインにサンプリングされる。サンプリングされた映像信号は行毎に選択された画素Ｔｒを介して順次対応する保持容量に書き込まれる。
【０００６】
ここで、各データラインへの映像信号の供給は、ビデオラインから映像信号を供給し、水平スイッチを線順次で動作させることにより行っているが、ビデオラインからの映像信号の供給タイミングと水平スイッチに印加する水平スイッチ駆動パルス信号のタイミングが合わない場合には、本来の映像信号がデータラインに供給されず、画素に印加される映像信号の電圧レベルが本来の電圧レベルからずれて、画像表示としてはいわゆるゴーストが発生し、液晶表示装置の画質を低下させてしまう。
【０００７】
例えば、初期段階では図４（ａ）で示す様に、図４中符号Ｖｓｉｇで示す映像信号の供給タイミングと、図４中符号ＨＳＷ（１）〜（３）で示す水平スイッチ駆動パルス信号のタイミング（図４中符号ＨＳＷ（１）は水平スイッチＳ１に印加する水平スイッチ駆動パルス信号のタイミングチャート、図４中符号ＨＳＷ（２）は水平スイッチＳ２に印加する水平スイッチ駆動パルス信号のタイミングチャート、図４中符号ＨＳＷ（３）は水平スイッチＳ３に印加する水平スイッチ駆動パルス信号のタイミングチャート）が合う様に調整がなされており、初期段階においては正常にビデオラインからの映像信号が各データラインに供給される。しかし、数千時間後には経時変化による水平スイッチ駆動パルス信号の遅延によって、図４（ｂ）で示す様に、映像信号の供給タイミングと水平スイッチ駆動パルス信号のタイミングが合わなくなり、いわゆるゴーストが発生する。
【０００８】
この様なゴーストの抑制方法として、従来は水平スイッチ駆動パルス信号の遅延を検出して、遅延に基づいて水平スイッチ駆動パルス信号の補正を行い、ビデオラインからの映像信号の供給タイミングと水平スイッチ駆動パルス信号のタイミングを合わせている。
【０００９】
例えば、水平スイッチ駆動パルス信号が初期段階における位置からどれだけ遅延したかを検出用パルスの位相差から読み取り、図４（ｃ）で示す様に、遅延量分だけ水平スイッチ駆動パルス信号に補正を行っている。
【００１０】
なお、上記では、スキャンラインが線順次で励起されると共に、水平スイッチを線順次で動作させることによって、行毎に選択された画素Ｔｒに点順次で書き込みを行う方式の液晶駆動回路を例に挙げて説明を行ったが、所定本数のデータラインを単位ブロックとし、同一ブロック内の全てのデータラインに同時に書き込みを行うと共に、ブロック毎に順次書き込みを行ういわゆる同時サンプリング方式の液晶駆動回路の場合も、上記と同様に映像信号の供給タイミングとサンプリングパルスのタイミングが合わないことによりいわゆるゴーストが発生し、また、ゴーストの抑制方法としてサンプリングパルスの遅延を検出し、サンプリングパルスの遅延量に基づいて補正を行っている。
【００１１】
【特許文献１】特開２０００−３４７６２７号公報
【発明の開示】
【発明が解決しようとする課題】
【００１２】
ところで、液晶駆動回路等には製品毎の個体差が不可避的に存在するが、上記したゴーストの抑制方法はこうした製品毎の個体差に束縛されてしまう。即ち、上記したゴーストの抑制方法では水平スイッチ駆動パルス信号の初期段階からの遅延量に基づいて補正を行うために、水平スイッチ駆動パルス信号が初期段階からどれだけ遅延したかを検出用パルスの位相差から読み取る必要があり、この遅延量を検出するためには、水平スイッチ駆動パルス信号の初期段階における位置を記憶しておく必要がある。しかし、液晶駆動回路等に製品毎の個体差が存在し、個々の液晶駆動回路等の初期状態が異なるために、個々の液晶駆動回路等の初期状態をＩＣ等に記憶させておかなければ精度の高い補正を行うことができない。
【００１３】
また、上記したゴーストの抑制方法は、ゴースト不良そのものではなく、ゴースト不良の発生原因に着目したものであり、即ち、ゴーストの発生の有無に関わらず水平スイッチ駆動パルス信号（サンプリングパルス）の遅延に基づいて水平スイッチ駆動パルス信号の補正を行っているために、水平スイッチ駆動パルス信号は遅延しているがゴーストは発生していない場合であっても水平スイッチ駆動パルス信号の遅延に基づいて一律に補正を行っており、不必要な補正がなされることがある。
【００１４】
本発明は、以上の点に鑑みて創案されたものであって、ゴーストが実際に発生する時期を検出することを可能とし、真にサンプリングパルスや映像信号の補正を行うべき時期の検出を可能とする駆動回路及びこうした駆動回路によって検出されたタイミングで補正を行い、ゴーストの抑制を行う表示装置を提供することを目的とするものである。
【課題を解決するための手段】
【００１５】
上記の目的を達成するために、本発明に係る駆動回路は、有効表示領域及び周辺領域に行方向に沿って配列されたスキャンラインと、有効表示領域及び周辺領域に列方向に沿って配列されたデータラインと、該スキャンライン及びデータラインの交点に配設された能動素子と、該能動素子と電気的に接続された保持容量を備え、サンプリングパルスに基づいて、前記データラインに順次映像信号が供給される様に構成された駆動回路であって、周辺領域に配列された所定のデータラインに検出信号が供給された後に、前記検出信号が供給されたデータラインと隣り合う周辺領域に配列されたデータライン若しくは同データラインと電気的に接続された保持容量の電位の変化量を検出する電位検出手段を備える。
【００１６】
また、本発明に係る駆動回路は、有効表示領域及び周辺領域に行方向に沿って配列されたスキャンラインと、有効表示領域及び周辺領域に列方向に沿って配列されると共に、複数ブロックに区分されたデータラインと、該スキャンライン及びデータラインの交点に配設された能動素子と、該能動素子と電気的に接続された保持容量を備え、サンプリングパルスに基づいて、前記データラインに前記ブロック毎に順次映像信号が供給される様に構成された駆動回路であって、周辺領域に構成された所定のブロック内の所定のデータラインに検出信号が供給された後に、前記所定のブロックと隣り合う周辺領域に構成されたブロック内のデータラインであり、前記検出信号が供給されたデータラインと対応するデータライン若しくは同データラインと電気的に接続された保持容量の電位の変化量を検出する電位検出手段を備える。
【００１７】
ここで、検出信号が供給されたデータラインの電位は当然に検出信号に応じた電位となるのであるが、ゴーストが発生する状況であれば、ゴーストが出る方向に隣り合うデータライン或いはゴーストが出る方向に隣り合うブロック内の対応するデータラインにも予期せずに検出信号が供給されて、これら予期せずに検出信号が供給されたデータライン或いはこのデータラインと電気的に接続された保持容量の電位に変化が生じる。
従って、電位検出手段によって、検出信号が供給されたデータラインと隣り合う周辺領域に形成されたデータラインの電位の変化量若しくは検出信号が供給されたデータラインと隣り合う周辺領域に形成されたデータラインと電気的に接続された保持容量の電位の変化量、或いは、検出信号が供給されたデータラインと対応するデータラインの電位の変化量若しくは検出信号が供給されたデータラインと対応するデータラインと電気的に接続された保持容量の電位の変化量を検出することによって、問題視される度合いでゴーストが実際に発生するか否かを判断することができる。
【００１８】
なお、有効表示領域に配列されたデータラインに映像信号を供給して画像を表示しつつ所定のデータラインに検出信号を供給したとしても、検出信号が供給されるデータライン、検出信号が供給されるデータラインと隣り合うデータライン、検出信号が供給されるデータラインと対応するデータラインが周辺領域に形成されているので、検出信号の入力に起因して画像が表示されることは無い。
【００１９】
ところで、上述の検出信号が供給されたデータラインと対応するデータラインとは、所定のデータラインに検出信号が供給された場合に、検出信号の供給タイミングと検出信号のサンプリングパルスのタイミングの不一致によって所定のデータラインに供給されるべき検出信号が予期せず供給される（漏れ込む）可能性のあるデータラインを言う。
【００２０】
また、上記の目的を達成するために、本発明に係る表示装置は、有効表示領域及び周辺領域に行方向に沿って配列されたスキャンラインと、有効表示領域及び周辺領域に列方向に沿って配列されたデータラインと、該スキャンライン及びデータラインの交点に配設された能動素子と、該能動素子と電気的に接続された保持容量を有し、サンプリングパルスに基づいて、前記データラインに順次映像信号が供給される様に構成されると共に、周辺領域に配列された所定のデータラインに検出信号が供給された後に、前記検出信号が供給されたデータラインと隣り合う周辺領域に配列されたデータライン若しくは同データラインと電気的に接続された保持容量の電位の変化量を検出する電位検出手段を備える駆動回路と、前記電位検出手段による検出電位の変化量が所定の閾値以上の場合に、前記サンプリングパルスまたは前記映像信号の少なくとも一方を補正する補正手段を備える。
【００２１】
また、本発明に係る表示装置は、有効表示領域及び周辺領域に行方向に沿って配列されたスキャンラインと、有効表示領域及び周辺領域に列方向に沿って配列されると共に、複数ブロックに区分されたデータラインと、該スキャンライン及びデータラインの交点に配設された能動素子と、該能動素子と電気的に接続された保持容量を有し、サンプリングパルスに基づいて、前記データラインに前記ブロック毎に順次映像信号が供給される様に構成されると共に、周辺領域に構成された所定のブロック内の所定のデータラインに検出信号が供給された後に、前記所定のブロックと隣り合う周辺領域に構成されたブロック内のデータラインであり、前記検出信号が供給されたデータラインと対応するデータライン若しくは同データラインと電気的に接続された保持容量の電位の変化量を検出する電位検出手段を備える駆動回路と、前記電位検出手段による検出電位の変化量が所定の閾値以上の場合に、前記サンプリングパルスまたは前記映像信号の少なくとも一方を補正する補正手段を備える。
【００２２】
ここで、電位検出手段による検出電位の変化量が所定の閾値以上の場合に、即ち、問題視される度合いでゴーストが実際に発生すると判断した場合に、補正手段によってサンプリングパルスまたは映像信号の少なくとも一方を補正することによって、ゴーストを高精度に抑制することができる。
【発明の効果】
【００２３】
上記した本発明の駆動回路では、ゴーストがどの程度で発生するかを判断することができ、サンプリングパルスや映像信号の補正のタイミングを容易かつ正確に検出することができる。
また、上記した本発明の表示装置では、ゴーストがどの程度で発生するかを判断してサンプリングパルスや映像信号の補正を行うために、高精度な補正が可能となり、ゴーストを効果的に抑制することができる。
また、検出電位の変化量が所定の閾値以上の場合に補正を行うこととすることで、問題視される度合いでゴーストが発生するタイミングでの補正が可能となり、不必要な補正を行うことなく効率的にゴーストを抑制することができる。
【発明を実施するための最良の形態】
【００２４】
以下、本発明の実施の形態について図面を参照しながら説明し、本発明の理解に供する。
図１は本発明を適用した表示装置の一例であるアクティブマトリックス型液晶表示装置における液晶駆動回路の構成を説明するための図であり、ここで示す液晶駆動回路は、上記した従来の液晶駆動回路と同様に、Ｘ軸方向に平行に配列された複数のスキャンラインＸ１，Ｘ２，Ｘ３・・・と、Ｙ軸方向に平行に配列された複数のデータラインＹ１，Ｙ２，Ｙ３・・・を備えており、各スキャンラインとデータラインの交点には、画素Ｔｒとして例えば薄膜トランジスタ（ＴＦＴ）等の能動素子Ｔ１１，Ｔ１２，Ｔ２１，Ｔ２２・・・が形成され、更に各能動素子に対応した保持容量Ｃｓ１１，Ｃｓ１２，Ｃｓ２１，Ｃｓ２２・・・、画素電極及び対向電極によって挟持された液晶から構成された液晶セルＬ１１，Ｌ１２，Ｌ２１，Ｌ２２・・・が形成されている。なお、各素子は液晶画素に対応してマトリックス状に配置されており、各画素Ｔｒのゲート電極はスキャンラインに接続されており、ソース電極はデータラインに接続されており、ドレイン電極は対応する保持容量及び液晶セルの画素電極に接続されている。
【００２５】
また、各データラインはそれぞれ対応する水平スイッチＳ１，Ｓ２，Ｓ３・・・を介して共通のビデオライン１１に接続されており、このビデオラインから映像信号や検出信号が供給される。更に、各水平スイッチを構成するスイッチングトランジスタのゲート電極は水平走査回路１２に接続されており、この水平走査回路は、外部から入力される水平クロック信号に同期して順次サンプリングパルスである水平スイッチ駆動パルス信号をスイッチングトランジスタのゲート電極に印加する。なお、各スキャンラインは垂直走査回路１３に接続されている。
【００２６】
なお、上記の様に構成された液晶駆動回路では、従来の液晶駆動回路と同様に、スキャンラインが線順次で励起され、行毎に画素Ｔｒが選択され、このときに水平走査回路を駆動して水平スイッチを線順次で動作させると、ビデオラインに供給された映像信号が順次各データラインにサンプリングされる。サンプリングされた映像信号は行毎に選択された画素Ｔｒを解して順次対応する保持容量に書き込まれる。
【００２７】
また、データライン、スキャンライン、能動素子、保持容量及び液晶セルは通常の画像を表示する領域である有効表示領域（図１中符号Ａ）のみならず、有効表示領域の周辺部であり遮光されているために画像を表示しない領域である周辺領域にも形成されている。
【００２８】
ここで、周辺領域には第１のデータライン１、第２のデータライン２及び第３のデータライン３が配列され、第１のデータラインと接続された所定の画素Ｔｒ９のドレイン電極に接続されている第１の保持容量４と隣り合う様に形成されると共に、第２のデータラインと接続された画素Ｔｒのドレイン電極に接続されている第２の保持容量５には第１の電位検出回路６が接続されている。なお、第１の電位検出回路は例えば外部ＩＣ等の補正手段（図示せず）に接続されている。
また、上記した第１の保持容量と隣り合う様に形成されると共に、第３のデータラインと接続された画素Ｔｒのドレイン電極に接続されている第３の保持容量７には第２の電位検出回路８が接続されている。なお、第２の電位検出回路は例えば外部ＩＣ等の補正手段（図示せず）に接続されている。
【００２９】
以下、上記の様に構成された液晶駆動回路における（１）ゴーストが発生しているか否かの検出方法及び（２）水平スイッチ駆動パルス信号の補正方法について説明を行う。
【００３０】
（１）ゴーストが発生しているか否かの検出方法
ゴーストが発生しているか否かの検出を行う場合には、先ず、垂直走査回路を駆動して、第１の保持容量と接続された画素Ｔｒが接続されたスキャンラインを選択した後に、第１のデータラインに検出信号が供給される様なタイミングでビデオラインから検出信号を供給すると共に、第１のデータラインに検出信号が供給される様なタイミングで水平スイッチに水平スイッチ駆動パルス信号を印加する。
【００３１】
次に、第１の電位検出回路及び第２の電位検出回路によって第２の保持容量及び第３の保持容量の電位の変化量を検出することにより、第２の保持容量または第３の保持容量に書き込みが行われているか否かを確認し、ゴーストが発生しているか否かを判断する。
【００３２】
ここで、ゴーストが発生する状態であれば、第１のデータラインに検出信号が供給される様なタイミングでビデオラインから検出信号を供給すると共に、第１のデータラインに検出信号が供給される様なタイミングで水平スイッチに水平スイッチ駆動パルス信号を印加したとしても、ビデオラインから供給された検出信号が第２の保持容量または第３の保持容量に漏れ込むことで第２の保持容量または第３の保持容量の電位が変動することとなる。従って、第２の保持容量及び第３の保持容量の電位の変化量を第１の電位検出回路及び第２の電位検出回路で検出することによって、ゴーストが発生しているか否かを判断することができる。
【００３３】
上記の様にしてゴーストが発生しているか否かの検出を行った後に、ゴーストが発生していると判断した場合には以下に示す様な方法で水平スイッチ駆動パルス信号の補正を行う。
【００３４】
ここで、ゴーストが発生しているか否かの検出は、画像表示を行いつつ実行しても良いし、画像表示を行わない状態で実行しても良い。即ち、有効表示領域に配列されたデータラインに映像信号を供給しつつ第１のデータラインに検出信号を供給しても良いし、有効表示領域に配列されたデータラインには映像信号を供給しない状態で第１のデータラインに検出信号を供給しても良い。
なお、有効表示領域に配列されたデータラインに映像信号を供給して画像表示を行いつつ第１のデータラインに検出信号を供給してゴーストが発生しているか否かの検出を行ったとしても、第１のデータライン、第２のデータライン及び第３のデータラインは周辺領域に配列されているために、検出信号の供給に起因して画像が表示されることは無い。
【００３５】
（２）水平スイッチ駆動パルス信号の補正方法
先ず、ゴーストが発生したとしても、即ち、第２の保持容量または第３の保持容量に検出信号が漏れ込んだとしても、その度合いが微量であり、実際に目視できない程度である場合には補正を行う必要が無い。
そこで、第１の電位検出回路及び第２の電位検出回路は、検出した電位の変化量を補正手段に送信し、補正手段では電位の変化量が所定の閾値以上である場合、即ち、実際に目視できる程度のゴーストが発生していると判断できる程度の電位の変化量以上の変化量になった場合に水平スイッチ駆動パルス信号の補正を行う。
【００３６】
なお、図１中符号Ｂで示す方向に書き込みを行う液晶駆動回路において、第２の保持容量の電位が変化した場合には、水平スイッチ駆動パルス信号のタイミングが正常な設定よりも進んでいる状態であり、第３の保持容量の電位が変化した場合には、水平スイッチ駆動パルス信号のタイミングが正常な設定よりも遅れている状態である。
従って、補正手段は、第２の保持容量の電位の変化量が所定の閾値以上の場合には、水平スイッチ駆動パルス信号を遅らせる様に補正を行い、第３の保持容量の電位の変化量が所定の閾値以上の場合には、水平スイッチ駆動パルス信号を早める様に補正を行う。
【００３７】
即ち、補正手段では、第１の電位検出回路及び第２の電位検出回路で検出した電位の変化量が所定の閾値よりも大きいか否かを判断することによって、補正を行うか否かを決定し、第１の電位検出回路によって検出した電位の変化量と第２の電位検出回路で検出した電位の変化量のいずれが大きいかを判断することによって、どの様な補正を行うべきかを決定する。
【００３８】
なお、水平スイッチ駆動パルス信号に補正を行う場合には、過度に補正を行うことに起因して補正前とは逆側にゴーストが発生してしまうことを抑制するために、一度に大きな量の補正を行うのではなく、少しずつ適正なタイミングとなる様に補正を行う方が好ましい。
【００３９】
そして、上記した（１）ゴーストが発生しているか否かの検出及び（２）水平スイッチ駆動パルス信号の補正を、補正を行う必要が無い程度と判断できるまで、即ち、第２の保持容量または第３の保持容量の電位の変化量が所定の閾値未満となるまで繰り返し行うことによって、実際に目視できる度合いのゴーストを抑制することができる。
【００４０】
ここで、本実施例では、第１の電位検出回路及び第２の電位検出回路で検出した電位の変化量に基づいて、水平スイッチ駆動パルス信号の補正を行う場合を例に挙げて説明を行ったが、映像信号の供給タイミングと水平スイッチ駆動パルス信号のタイミングが合えばゴーストを抑制することができるために、必ずしも水平スイッチ駆動パルス信号のタイミングを補正することによって両者のタイミングを合わせる必要は無く、第１の電位検出回路及び第２の電位検出回路で検出した電位の変化量に基づいて映像信号の供給タイミングの補正を行っても良い。
【００４１】
また、本実施例では、第２の保持容量に第１の電位検出回路を接続し、第３の保持容量に第２の電位検出回路を接続して第２の保持容量及び第３の保持容量の電位の変化量を検出しているが、水平スイッチ駆動パルス信号の補正を行うタイミングを検出するためには第２のデータライン及び第３のデータラインの電位の変化量を検出しても良い。即ち、第２のデータラインに第１の電位検出回路を接続し、第３のデータラインに第２の電位検出回路を接続して、保持容量に書き込まれた電位の変化量ではなく第２のデータライン及び第３のデータラインの電位の変化量を検出しても良い。
【００４２】
更に、本実施例では、スキャンラインが線順次で励起されると共に、水平スイッチを線順次で動作させることによって、行毎に選択された画素Ｔｒに点順次で書き込みを行う方式の液晶駆動回路を例に挙げて説明を行ったが、いわゆる同時サンプリング方式の液晶駆動回路の場合には上記した本実施例の第１のデータライン、第２のデータライン及び第３のデータラインを所定本数のデータラインを単位ブロックとする第１のブロック、第２のブロック及び第３のブロック内の所定のデータラインと置き換えて考えると、本実施例と同様にゴーストが発生しているか否かの検出を行うことができ、検出結果に基づいて水平スイッチ駆動パルス信号の補正を行うことができる。
【００４３】
即ち、いわゆる同時サンプリング方式の液晶駆動回路の場合には、図２で示す様に、データライン１４−１，１４−２，１４−３・・・１４−Ｘが配列された第１のブロック１４、データライン１５−１，１５−２，１５−３・・・１５−Ｘが配列された第２のブロック１５及びデータライン１６−１，１６−２，１６−３・・・１６−Ｘが配列された第３のブロック１６を周辺領域に構成し、第１のブロック内に配列された所定のデータライン（例えば、符号１４−２で示すデータライン）及び所定のスキャンライン１０と接続された所定の画素Ｔｒ１７に対応する第２のブロック内の画素Ｔｒ１８、即ち、検出信号の供給タイミングと水平スイッチ駆動パルス信号のタイミングが合っていない場合に、符号１４−２で示すデータラインに供給した検出信号が漏れ込む可能性のある第２のブロック内のデータライン及び所定のスキャンライン１０と接続された画素Ｔｒのドレイン電極に接続されている第４の保持容量１９に第３の電位検出回路２０を接続する。なお、第３の電位検出回路は例えば外部ＩＣ等の補正手段（図示せず）に接続する。
また、第１のブロック内の所定の画素Ｔｒ１７に対応する第３のブロック内の画素Ｔｒ２１、即ち、検出信号の供給タイミングと水平スイッチ駆動パルス信号のタイミングが合っていない場合に、符号１４−２で示すデータラインに供給した検出信号が漏れ込む可能性のある第３のブロック内のデータライン及び所定のスキャンライン１０と接続された画素Ｔｒのドレイン電極に接続されている第５の保持容量２２に第４の電位検出回路２３に接続する。なお、第４の電位検出回路は例えば外部ＩＣ等の補正手段（図示せず）に接続する。
【００４４】
そして、上記の様に構成された液晶駆動回路において、上記した本実施例の場合と同様に、符号１４−２で示すデータラインに検出信号が供給される様なタイミングでビデオラインから検出信号を供給すると共に、符号１４−２で示すデータラインに検出信号が供給される様なタイミングで水平スイッチに水平スイッチ駆動パルス信号を印加し、第３の検出回路及び第４の検出回路によって第４の保持容量及び第５の保持容量の電位の変化量を検出し、ゴーストが発生しているか否かを判断する。その後の水平スイッチ駆動パルス信号の補正方法は上記した本実施例の場合と同様である。
【００４５】
本発明を適用した液晶駆動回路では、電位検出回路によって検出された電位の変化量が実際にゴーストを目視できる度合いであると判断した場合にのみ水平スイッチ駆動パルス信号の補正を行っており、電位の変化が生じたとしても実際にゴーストを目視できる度合いでないと判断した場合には水平スイッチ駆動パルス信号の補正は行わないので、真に水平スイッチ駆動パルス信号の補正が必要であるタイミングを正確に把握することができ、不必要な補正を低減することができる。
【００４６】
また、本発明を適用した液晶駆動回路でのゴーストが発生しているか否かの検出は、水平スイッチ駆動パルス信号の初期段階における位置を記憶しておく必要がないために、液晶駆動回路等の製品毎の個体差に束縛されることも無い。
【００４７】
更に、周辺領域のデータラインのみを用いて処理を行うので、表示する画像とは無関係にゴースト発生の検出を行うことができる。従って、ゴースト発生の検出を常時行い、リアルタイムで水平スイッチ駆動パルス信号の補正を行うことも可能である。
【図面の簡単な説明】
【００４８】
【図１】本発明を適用した表示装置の一例であるアクティブマトリックス型液晶表示装置における液晶駆動回路の構成を説明するための図である。
【図２】同時サンプリング方式の液晶駆動回路の場合を説明するための図である。
【図３】従来のアクティブマトリックス型液晶表示装置の液晶駆動回路の構成を説明するための図である。
【図４】映像信号の供給タイミングと水平スイッチ駆動パルス信号のタイミングチャートである。
【符号の説明】
【００４９】
１    第１のデータライン
２    第２のデータライン
３    第３のデータライン
４    第１の保持容量
５    第２の保持容量
６    第１の電位検出回路
７    第３の保持容量
８    第２の電位検出回路
９    第１のデータラインと接続された所定の画素Ｔｒ
１０    所定のスキャンライン
１１    ビデオライン
１２    水平走査回路
１３    垂直走査回路
１４    第１のブロック
１５    第２のブロック
１６    第３のブロック
１７    所定の画素Ｔｒ
１８    所定の画素Ｔｒに対応する第２のブロック内の画素Ｔｒ
１９    第４の保持容量
２０    第３の電位検出回路
２１    所定の画素Ｔｒに対応する第３のブロック内の画素Ｔｒ
２２    第５の保持容量
２３    第４の電位検出回路
【図１】
2005300595.tif 000003
【図２】
2005300595.tif 000004
【図３】
2005300595.tif 000005
【図４】
2005300595.tif 000006